(57)【要約】【課題】使い捨ておむつを使用するときに、効率的に使い捨ておむつを使用者に固定することができる使い捨ておむつ用ファスニング部材を提供する。【解決手段】テープ状の基材２と、基材２の第一の面に配設される係止手段６とを有する使い捨ておむつ用ファスニング部材１であって、基材２に、基材の一の端部１１に向かって凸となる線状の切れ込み５が形成され、基材２が、切れ込み５により、切れ込み５に囲まれる伸展部４と切れ込み５の外側に位置する外枠部３とに、一部繋がった状態で分けられ、係止手段６が少なくとも伸展部の第一の面１３ａに配設され、外枠部３において伸展部４を横切る直線の延長上に、伸展部４を挟むように折り目７が形成される使い捨ておむつ用ファスニング部材１。【選択図】図１
2005348988.tif 000002
【特許請求の範囲】
【請求項１】
テープ状の基材と、前記基材の第一の面に配設される係止手段とを有する使い捨ておむつ用ファスニング部材であって、
前記基材に、前記基材の一の端部に向かって凸となる線状の切れ込みが形成され、前記基材が、前記切れ込みにより、前記切れ込みに囲まれる伸展部と前記切れ込みの外側に位置する外枠部とに、一部が繋がった状態で分けられ、
前記係止手段が少なくとも前記伸展部の第一の面に配設され、
前記外枠部において、前記伸展部を横切る直線の延長線上に、前記伸展部を挟むように折り目が形成される使い捨ておむつ用ファスニング部材。
【請求項２】
前記伸展部を、前記切れ込みの両端部間を結ぶ直線を折り目として折り返した状態において、前記基材の前記一の端部から前記伸展部の先端までの距離が、前記基材の前記一の端部から前記基材の前記一の端部に対して反対側となる端部（他の端部）までの距離より長い請求項１に記載の使い捨ておむつ用ファスニング部材。
【請求項３】
前記伸展部の形状が、長方形、正方形、台形、円形、楕円形、又はトラック形である請求項１又は２に記載の使い捨ておむつ用ファスニング部材。
【請求項４】
前記基材の少なくとも一部が伸縮性素材で形成されている請求項１〜３のいずれかに記載の使い捨ておむつ用ファスニング部材。
【請求項５】
前記伸縮性素材で形成されていない部分に所定の第一の印が描かれ、前記伸縮性素材で形成されている部分に前記伸縮性素材を所定の長さだけ伸ばしたときに前記第一の印と同じになるような第二の印が描かれた請求項４に記載の使い捨ておむつ用ファスニング部材。
【請求項６】
前記第一の印が、前記外枠部の第一の面、又は前記伸展部の第二の面（前記係止手段が配設されていない側の面）に描かれ、
前記第二の印が、前記外枠部の第一の面、又は前記伸展部の第二の面に描かれた請求項５に記載の使い捨ておむつ用ファスニング部材。
【請求項７】
前記第一の印及び前記第二の印が、前記基材の第一の面に描かれた請求項５に記載の使い捨ておむつ用ファスニング部材。
【請求項８】
使い捨ておむつのサイドパネルを前記基材として使用する請求項１〜７のいずれかに記載の使い捨ておむつ用ファスニング部材。
【請求項９】
テープ状の基材と、前記基材の第一の面に配設される係止手段とを有する使い捨ておむつ用ファスニング部材であって、
前記基材が、伸縮性素材で形成されている部分と、伸縮性素材で形成されていない部分とを有し、前記伸縮性素材で形成されていない部分に所定の第一の印が描かれ、前記伸縮性素材で形成されている部分に前記伸縮性素材を所定の長さだけ伸ばしたときに前記第一の印と同じになるような第二の印が描かれた使い捨ておむつ用ファスニング部材。
【請求項１０】
請求項１〜９のいずれかに記載の使い捨ておむつ用ファスニング部材が配設された使い捨ておむつ。
【発明の詳細な説明】
【技術分野】
【０００１】
本発明は、使い捨ておむつ用ファスニング部材に関し、更に詳しくは、使い捨ておむつに配設され、その使い捨ておむつを折りたたんだ状態から開いて使用者に当て、固定して取り付けるときに、効率的に使い捨ておむつを使用者に固定することができる使い捨ておむつ用ファスニング部材及び使い捨ておむつに関する。
【背景技術】
【０００２】
使い捨ておむつ（しばしば「紙おむつ」とも称される。）は、使用者と直接接触する液体透過性のトップシートと、排泄物を吸収保持する吸収体と、排泄物の漏れを防止する液体非透過性のバックシートとを積層した構造を有するおむつである。そしてこの使い捨ておむつは、使用者に対しておむつを確実に固定し、或いはおむつの締め具合を調節するために、何らかのファスニングシステムを備えているものが一般的である。
【０００３】
使い捨ておむつ用のファスニングシステムは、通常、固定のための係止手段を有するファスニング部材と呼ばれる固定具と、ランディングゾーンと呼ばれる、ファスニング部材の係止手段を止め付けるための部材とを組み合わせてなるものである。そして、ファスニングシステムには、係止手段として粘着テープを利用したテープファスニングシステム、或いはループとフックとを組み合わせてなるメカニカルファスニングシステム（いわゆる面状ファスナー）等、種々のファスニングシステムが提案されている。
【０００４】
図１０に示すおむつ２００はメカニカルファスニングシステムを備えた使い捨ておむつの一例であり、使用者の体に接触する側から見た図である。大別すると、使用者の腹部側を被包する前部パネル２０３と、臀部側を被包する後部パネル２０２の２つの構成部分からなる。前部パネル２０３及び後部パネル２０２それぞれの両側端部はサイドパネル２０１が配設されている。そして、後部パネル２０２の両サイドパネル２０１にはフック状のメカニカルファスナーを有するファスニング部材２０４が、前部パネル２０３上端近傍（使用者の体に接触しない側）にはファスニング部材２０４の被接着体となるランディングゾーン２０５が、配置されている。おむつ２００を使用する際には、おむつ２００で使用者を被包した後、係止手段２０６がおむつ２００の繊維に係合するようにおむつ２００側に折り曲げられたファスニング部材２０４を展開し、ランディングゾーン２０５に止め付けることにより、使用者に対しておむつを固定することができる。
【０００５】
このような使い捨ておむつは、市販されているときには、おむつから横に飛び出したファスニング部材がおむつ側に折りたたまれ、更に、おむつのサイドパネルと共にファスニング部材が内側に折りたたまれた状態で包装される。このように２度折りたたんで包装したおむつは、使用時には２度折り返して展開する必要があり作業者の負担となっていた。また、２度折り返して展開することによりファスニング部材が使用可能な状態に開かれた後、おむつを使用者に固定する前に、ファスニング部材が再び閉じてしまうという不具合もあった（例えば、特許文献１，２参照）。また、サイドパネルに直接係止手段を配設し、１回の折り返しで展開可能にするおむつも上市されているが、このようなおむつは使用者の胴回りの長さを確保するためサイドパネルを大きくしなければならないという問題があった。
【０００６】
また、ファスニング部材を折り返すときには、ファスニング部材の先端を摘み、ファスニング部材をおむつから剥がすという作業が必要になる。おむつを使用する前には、ファスニング部材はおむつ側に折りたたまれて、ファスニング部材の全面がおむつに貼り付いた状態にあるので、この作業は必ずしも容易なものではなかった。特に乳幼児が泣いている場合等には、可能な限り速やかにおむつを交換したいという意識が働くため、作業者に精神的な負担を強いることにもなる。
【特許文献１】特許第３２２２７９８号公報
【特許文献２】特許第３１１９４４３号公報
【発明の開示】
【発明が解決しようとする課題】
【０００７】
本発明は、このような従来技術の有する問題点に鑑みてなされたものであり、その特徴は、使い捨ておむつに配設され、その使い捨ておむつを折りたたんだ状態から開いて使用者に当て、固定して取り付けるときに、効率的に使い捨ておむつを使用者に固定することができる使い捨ておむつ用ファスニング部材及び使い捨ておむつを提供することにある。
【課題を解決するための手段】
【０００８】
上記目的を達成するため、本発明によって以下の使い捨ておむつ用ファスニング部材及び使い捨ておむつが提供される。
【０００９】
［１］  テープ状の基材と、前記基材の第一の面に配設される係止手段とを有する使い捨ておむつ用ファスニング部材であって、前記基材に、前記基材の一の端部に向かって凸となる線状の切れ込みが形成され、前記基材が、前記切れ込みにより、前記切れ込みに囲まれる伸展部と前記切れ込みの外側に位置する外枠部とに、一部が繋がった状態で分けられ、前記係止手段が少なくとも前記伸展部の第一の面に配設され、前記外枠部において、前記伸展部を横切る直線の延長線上に、前記伸展部を挟むように折り目が形成される使い捨ておむつ用ファスニング部材。
【００１０】
［２］  前記伸展部を、前記切れ込みの両端部間を結ぶ直線を折り目として折り返した状態において、前記基材の前記一の端部から前記伸展部の先端までの距離が、前記基材の前記一の端部から前記基材の前記一の端部に対して反対側となる端部（他の端部）までの距離より長い［１］に記載の使い捨ておむつ用ファスニング部材。
【００１１】
［３］  前記伸展部の形状が、長方形、正方形、台形、円形、楕円形、又はトラック形である［１］又は［２］に記載の使い捨ておむつ用ファスニング部材。
【００１２】
［４］  前記基材の少なくとも一部が伸縮性素材で形成されている［１］〜［３］のいずれかに記載の使い捨ておむつ用ファスニング部材。
【００１３】
［５］  前記伸縮性素材で形成されていない部分に所定の第一の印が描かれ、前記伸縮性素材で形成されている部分に前記伸縮性素材を所定の長さだけ伸ばしたときに前記第一の印と同じになるような第二の印が描かれた［４］に記載の使い捨ておむつ用ファスニング部材。
【００１４】
［６］  前記第一の印が、前記外枠部の第一の面、又は前記伸展部の第二の面（前記係止手段が配設されていない側の面）に描かれ、前記第二の印が、前記外枠部の第一の面、又は前記伸展部の第二の面に描かれた［５］に記載の使い捨ておむつ用ファスニング部材。
【００１５】
［７］  前記第一の印及び前記第二の印が、前記基材の第一の面に描かれた［５］に記載の使い捨ておむつ用ファスニング部材。
【００１６】
［８］  使い捨ておむつのサイドパネルを前記基材として使用する［１］〜［７］のいずれかに記載の使い捨ておむつ用ファスニング部材。
【００１７】
［９］  テープ状の基材と、前記基材の第一の面に配設される係止手段とを有する使い捨ておむつ用ファスニング部材であって、前記基材が、伸縮性素材で形成されている部分と、伸縮性素材で形成されていない部分とを有し、前記伸縮性素材で形成されていない部分に所定の第一の印が描かれ、前記伸縮性素材で形成されている部分に前記伸縮性素材を所定の長さだけ伸ばしたときに前記第一の印と同じになるような第二の印が描かれた使い捨ておむつ用ファスニング部材。
【００１８】
［１０］  ［１］〜［９］のいずれかに記載の使い捨ておむつ用ファスニング部材が配設された使い捨ておむつ。
【発明の効果】
【００１９】
本発明の使い捨ておむつ用ファスニング部材（以下、単に「ファスニング部材」ということがある。）によれば、基材に、基材の一の端部に向かって凸となる線状の切れ込みが形成されることにより、基材がその切れ込みにより、その切れ込みに囲まれる伸展部とその切れ込みの外側に位置する外枠部とに、一部が繋がった状態で分けられ、係止手段が少なくとも伸展部の第一の面に配設され、外枠部において、伸展部を横切る直線の延長上に、伸展部を挟むように折り目が形成されているため、ファスニング部材をおむつ側に折りたたむときに、ファスニング部材を上記外枠部の折り目に沿って、伸展部は折らないようにしながら折りたたむことができる。このようにファスニング部材を折りたたむことにより、ファスニング部材を折りたたんだときに、伸展部の先端が、上記折り目の部分から、ファスニング部材の先端（上記基材の一の端部に対して反対側となる端部（他の端部））が向く方向に対して反対方向を向いて突き出すようになる。つまり、ファスニング部材の一の端部（上記基材の一の端部と同じ）をおむつのサイドパネルに取り付けている場合には、おむつのサイドパネルから外側に突き出した状態となる。そして、おむつを更に折りたたんだときにも（２回目の折りたたみ）、伸展部の先端がサイドパネルから外側に突き出した状態は維持される。そのため、包装されたおむつを展開するときには、サイドパネルから突き出したファスニング部材の伸展部の先端を摘んで引き出すことにより、サイドパネルが開くと同時に伸展部を開くことが可能となる。このとき、伸展部は切れ込みに沿って外枠部からはずれ（切れ込みのない部分は接続されている）、切れ込みの両端部を結ぶ直線を軸として略１８０度回転して外枠部の先端から更に先に突き出すようになる。上述のように、サイドパネルから突き出したファスニング部材の伸展部の先端を摘んで引き出すだけでおむつを展開できるため、おむつを展開するときに２度折り返す必要がなく、作業性、作業効率が非常によいものとなる。
【００２０】
本発明の使い捨ておむつによれば、本発明の使い捨ておむつ用ファスニング部材を配設しているため、サイドパネルから突き出したファスニング部材の伸展部の先端を摘んで引き出すだけでおむつを展開でき、おむつを展開するときに２度折り返す必要がなく、作業性、作業効率が非常によいものとなる。
【発明を実施するための最良の形態】
【００２１】
次に本発明の実施の形態を図面を参照しながら詳細に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００２２】
図１は、本発明の使い捨ておむつ用ファスニング部材の一の実施の形態を模式的に示し、図１（ａ）は、第一の面側から見た平面図であり、図１（ｂ）は、折り目に沿って折りたたんだ状態を示す平面図であり、図１（ｃ）は、伸展部の先端を引き出して伸展（展開）した状態を示す平面図である。
【００２３】
図１（ａ）に示すように、本実施の形態のファスニング部材１は、テープ状の基材２と、基材の第一の面１３に配設される係止手段６とを有するものであり、基材２に、基材の一の端部１１に向かって凸となる線状の切れ込み５が形成され、基材２が、切れ込み５により、切れ込み５に囲まれる伸展部４と切れ込み５の外側に位置する外枠部３とに、一部が繋がった状態で分けられ、係止手段６が伸展部の第一の面１３ａ及び外枠部３の第一の面（基材の第一の面１３と同じ側の面）に配設され、外枠部３において、伸展部４を横切る直線の延長線上に、伸展部４を挟むように折り目７が形成されている。
【００２４】
図１（ａ）に示すファスニング部材１は、基材の一の端部１１側がおむつに取り付けられ、折り目７に沿って折りたたまれて、図１（ｂ）に示す状態になる（おむつは図示せず）。図１（ｂ）に示すように、折りたたまれたファスニング部材１は、折り目７と基材の一の端部１１との間の領域に、折り目７と基材の他の端部１２との間の領域が覆い被さる状態となっている。そして、外枠部３上の折り目７は折られた状態となるが、２つの折り目７，７の間に位置する伸展部４は折られることなく、伸びた状態となり、折り目７から伸展部の先端４ａが外側に突き出た形状となっている。このように、伸展部の先端４ａが折り目７から外側に突き出た構造となるため、おむつを展開するときに、この伸展部の先端４ａを掴んで引き出すだけで容易に展開することができる。このとき伸展部の先端４ａが外側に突き出ているので非常に掴みやすい。
【００２５】
図１（ｂ）に示すように折りたたまれたファスニング部材１を、伸展部の先端４ａを引き出すことにより展開すると、図１（ｃ）に示すような状態となる。図１（ｃ）に示すファスニング部材１は、外枠部３が平面状に開いた状態（折り目７が伸びた状態）となり、更に、伸展部４が、切れ込み５の両端部５ａ，５ｂを結ぶ直線（外枠部３と伸展部４とが繋がった部分）を軸として略１８０度回転するように折り返され、伸展部の先端４ａが基材の他の端部１２から更に先に突き出すようになっている。係止手段６は、少なくとも伸展部４の第一の面に配設されているため、伸展部４を折り返した後には、基材２（外枠部３）の第一の面の裏側の面である第二の面側を向くことになる。本実施の形態においては、図１（ａ）に示すように、係止手段６は伸展部の第一の面１３ａだけでなく、外枠部３の第一の面にも配設されている。このように、係止手段６が、外枠部３の第一の面にも配設されるようにすることにより、基材２の第一の面上を横断するように係止手段６を配設することができるため、製造工程上、効率的に係止手段６を基材２に配設することができる。
【００２６】
本実施の形態のファスニング部材を配設したおむつを使用する場合に、ファスニング部材でおむつを固定するときには、ファスニング部材は、図１（ｃ）に示した状態となる。つまり、基材の一の端部１１側がおむつの後部パネルのサイドパネルに取り付けられた状態で、伸展部４に配設した係止手段６をおむつの前部パネルのランディングゾーンに留め付けるのである。
【００２７】
本実施の形態の使い捨ておむつ用ファスニング部材は、図１（ｃ）に示すように、伸展部４を、切れ込み５の両端部５ａ，５ｂ間を結ぶ直線を折り目として折り返したときに、基材の一の端部１１から伸展部の先端４ａまでの距離が、基材の一の端部１１から基材の一の端部１１に対して反対側となる端部（基材の他の端部）１２までの距離より長いことが好ましい。短いと、伸展部を伸展させておむつを固定するときに、係止手段をランディングゾーンに留め付け難いことがある。
【００２８】
本実施の形態の使い捨ておむつ用ファスニング部材の伸展部の形状は、図１（ａ）に示すような長方形である必要はなく、正方形、基材の一の端部側（伸展部の先端）が広くなった台形、基材の一の端部側（伸展部の先端）が狭くなった台形等の多角形、円形、楕円形、又はトラック形でもよい。また、伸展部の先端の角が丸く形成された長方形や正方形でもよい。図２は、伸展部の形状が、基材の一の端部側（伸展部の先端）が広くなった台形である場合の本発明のファスニング部材の他の実施形態を示す図である。図３は、伸展部の形状が、楕円形である場合の本発明のファスニング部材の他の実施形態を示す図である。図４は、伸展部の形状が、先端の角が丸く形成された長方形である場合の本発明のファスニング部材の他の実施形態を示す図である。
【００２９】
本実施の形態の使い捨ておむつ用ファスニング部材において、切れ込みの端部は、伸展部を展開したときに、伸展部を引っ張ることにより切れないように、図２に示すように、切れ込み５の方向を、切れ込みの端部５ａ，５ｂの付近で変えることが好ましい。また、図４に示すように、切れ込みの端部５ａ，５ｂの部分に円形の孔を開けることも好ましい。更に、図３に示すように、基材の他の端部１２付近に補強材１４を配設してもよい。補強材１４としては、プラスティックフィルム、不織布、織布等を使用することができる。
【００３０】
本実施の形態の使い捨ておむつ用ファスニング部材において、切れ込みは、連続的に外枠部と伸展部とを切り離すように形成してもよいが、ミシン目のように不連続に線状の切れ込みを形成してもよい。不連続に形成すると、使用時まで伸展部がめくれたりすることがない点で好ましい。
【００３１】
本実施の形態の使い捨ておむつ用ファスニング部材の基材の形状は、図１（ａ）に示すような長方形である必要はなく、基材の一の端部側が広がった台形、正方形、その他いずれの形状でもよい。図５、図６は、基材の形状が、基材の一の端部側が広がった台形である場合の本発明のファスニング部材の他の実施形態を示す図である。
【００３２】
本実施の形態の使い捨ておむつ用ファスニング部材において、基材の大きさ及び伸展部の大きさは特に限定されるものではなく、使用するおむつの大きさに合わせて適宜決定することができる。例えば、基材の大きさは、大人用おむつ及び子供（乳幼児）用おむつのいずれについても、２ｃｍ×２ｃｍ〜６ｃｍ×８ｃｍが好ましい。また、伸展部の大きさは、１ｃｍ×１ｃｍ〜５ｃｍ×７ｃｍが好ましい。また、外枠部の幅が５ｍｍ以上であることが好ましい。
【００３３】
また、基材の材質としては、ポリプロピレン、ポリエチレン、ポリエチレンテレフタレート、ナイロン等の合成樹脂が好ましい。場合によっては各種繊維で構成された織布・不織布、紙等も利用できる。
【００３４】
更に、基材の少なくとも一部が伸縮性素材で形成されていることが好ましい。基材の少なくとも一部が伸縮性素材で形成されていると、メカニカルファスナーによりおむつを使用者の体に取り付けるときに、適度に使用者の体を締め付けて、きつ過ぎることもなく、おむつが外れることもないようにすることができる。例えば、図７（ａ）に示すように、外枠部３の、伸展部４を挟んで対向する２箇所に伸縮性素材で形成された伸縮部３ａを形成してもよい。伸縮性素材は、伸展部に形成してもよいし、外枠部に形成してもよい。また、これらの双方に形成してもよい。伸縮性素材としては、弾性的に伸縮可能なエラストマーフィルム、又はその積層体若しくは複合体を挙げることができる（例えば、特公平６−９４１８８号公報、米国特許第５，６９１，０３４号公報及び米国特許第５，５０１，６７９号公報参照）。また、伸縮性のシートや布帛を単独で、又は組み合わせて、伸縮材として使用することもできる。例えば、伸縮性のシートとして、エラストマーシート、例えば、天然ゴム、イソプレンゴム、１，２−ポリブタジエン、スチレン−ブタジエンゴム、クロロプレンゴム、ニトリルゴム、ブチルゴム、エチレン−プロピレンゴム、ウレタンゴム等のシートを使用することができる。また、各種の熱可塑性エラストマー、例えば、ウレタン系エラストマー、スチレン系エラストマー、オレフィン系エラストマー等のシートを使用することができる。また、伸縮性の布帛として、各種の繊維材料、例えば、織布、不織布等を使用することができる。繊維としては、例えば、ポリエチレン、ポリプロピレン、ポリエステルやポリアミド等の合成繊維や、コットン、レーヨン等の天然繊維を使用することができる。これらの伸縮材は、単独で使用してもよく、２種以上を組み合わせて、例えば、積層体等として使用してもよい。伸縮部材は、通常、シート又はテープの形で用いることができ、また、その厚さは、広い範囲で変更することができるが、５０〜１０００μｍ程度が好ましい。
【００３５】
また、おむつを使用者の体に取り付けるときに、伸縮部が適度に伸びているかどうかを確認するために、伸縮性素材で形成されていない部分に所定の第一の印が描かれ、伸縮性素材で形成されている伸縮部に、伸縮性素材を所定の長さだけ伸ばしたときに上記第一の印と同じになるような第二の印を描くことが好ましい。上記「所定の長さ」とは、ファスニング部材によりおむつを使用者の体に固定するときに、おむつが最も適度に使用者の体にフィットするときの長さである。所定の長さより長いと、ファスニング部材により、きつく締められるような状態となることがあり、所定の長さより短いとファスニング部材による固定が緩くおむつが使用者の体からずれたりすることがある。図７（ａ）、図７（ｂ）に示すように、外枠部３の伸縮性素材で形成されていない部分の係止手段が配設されている側の面（第一の面）に第一の印Ｍとして円形の印が描かれ、外枠部３の伸縮性素材で形成された伸縮部３ａの第一の面に、伸縮部３を所定の長さだけ伸ばしたときに上記円形と同じになるような長円形の印を第二の印ｍとして描くことが好ましい。上記円形の印は、伸展部４の伸縮性素材で形成されていない部分の前記係止手段が配設されていない側の面（第二の面）に描かれていてもよい。このように、伸縮しない部分に第一の印Ｍを付け、伸縮部に第二の印ｍを付けたため、伸縮部を伸ばしながらおむつを使用者の体に取り付けるときに、それぞれの印を比較することにより、最適な伸び状態で取り付けることができる。ここで、係止手段が配設されている側の面（第一の面）とは、伸展部を伸展していない状態における係止手段の配設面である。上記所定の印は、特に限定されるものではなく、図７（ａ）、図７（ｂ）に示すような、円形であってもよいし、四角形等の多角形、楕円形等の単純な図形であってもよいし、単なる線、パターン、数字、記号、イラスト、写真、カラーチャート、カラーコード、動物や漫画のキャラクター等の絵であってもよい。
【００３６】
また、第一の印と第二の印との比較は、上述のように形状で比較してもよいが、色で比較してもよい。つまり、第一の印として、第二の印の色と比較して相対的に色の薄いカラーチャートやカラーコードを描き、第二の印として相対的に色の濃いカラーチャートやカラーコードを描き、伸縮部を所定の長さだけ伸ばしたときに第二の印の色が薄くなり、第一の印の色と同じ色になるようにしてもよい。
【００３７】
伸展部の一部が伸縮性素材で形成されている場合には、上記第二の印を伸展部の伸縮性素材で形成された部分の第二の面に配設してもよい。この場合、第一の印は、伸展部の伸縮性素材で形成されていない部分の第二の面、又は、外枠部の伸縮性素材で形成されていない部分の第一の面に描くことが好ましい。
【００３８】
また、第一の印及び第二の印が、基材の第一の面に描かれるようにしてもよい。伸展部の第一の面にいずれかの印が付与されると、伸展部が伸展されたときには視認し難くなることがあるが、実際の作業上は、第一の印、第二の印、又は第一の印と第二の印の双方が、伸展部の第一の面に描かれても伸縮部の伸びた状態を確認することは可能である。
【００３９】
上述した所定の印をファスニング部材に付与する方法は、特に限定されるものではないが、印刷法や転写法によって付与するのが好ましい。例えば、印刷法は、スクリーン印刷、グラビア印刷、オフセット印刷等によって実施することができる。印刷等に使用するインクとしては、例えば、大日精化工業社製の「ラミック（商品名）」及び「ハイラミック（商品名）」、東洋インキ製造社製の「ラミスター（商品名）」及び「ＬＰハイスーパー（商品名）」等を使用することができる。また、所定の印を形成したシート等を別に作製しておいて、これを伸縮部材とを同時的に積層してもよい。
【００４０】
係止手段としては、メカニカルファスナーとすることが好ましい。メカニカルファスナーは、多数の微小突起を有するフックと、これと噛み合うループとの組み合わせによりファスニングを行うため、係止手段としてはフック若しくはループのいずれを形成してもよい。他方をランディングゾーンに形成することにより、ファスニングが可能となるからである。メカニカルファスナーとしては、通常使用されているものを使用することができる。例えば、フックを形成する場合には、微小突起の形状はＴ字型、マッシュルーム型、鉤型等とすることができ、その材質としては、ポリプロピレン、ポリエステル、ナイロン等を使用することができる。また、ループを形成する場合には、織布、不織布等を使用することができ、材質としては、ポリプロピレン、ポリエチレン、ポリエステル、ナイロン等を使用することができる。
【００４１】
係止手段の大きさは、ファスニング部材の大きさに合わせて適宜決定することができる。例えば、係止手段の大きさは、大人用おむつに使用する場合には、１ｃｍ×１ｃｍ〜６ｃｍ×５ｃｍが好ましい。子供用おむつに使用する場合には、１ｃｍ×０．５ｃｍ〜６ｃｍ×３ｃｍが好ましい。
【００４２】
係止手段は、図１（ａ）に示すように、伸展部４だけに配設されていてもよいが、製造上の便宜等より、外枠部３まで延びるように配設されていてもよい。この場合には、線状の切れ込み５が係止手段６にも入り、伸展部４上の係止手段６と外枠部３上の係止手段６とは分断されることになる。
【００４３】
本実施の形態の使い捨ておむつ用ファスニング部材をおむつに取り付けるときには、ファスニング部材の係止手段が配設されている面（第一の面）が、おむつを使用者に取り付けるときに外側（使用者に接触しない側）を向くように取り付ける。それにより、伸展部が引き出され、折り返されたときに、係止手段が使用者側を向くようになる。
【００４４】
本実施の形態の使い捨ておむつ用ファスニング部材の製造方法としては、通常のメカニカルファスナーを係止手段とした使い捨ておむつ用ファスニング部材の製造方法とほぼ同様の方法で製造することができ、異なる点は、その工程において、所定形状の切れ込みを形成させる点である。
【００４５】
例えば、所定の材料によりテープ状の基材を作製し、ループ状又はフック状のメカニカルファスナーを配設し、その後に、カッター等により所定形状の切れ込みを形成させることによりファスニング部材が製造される。
【００４６】
本実施の形態の使い捨ておむつ用ファスニング部材の基材としておむつのサイドパネルを使用することができる。すなわち、図８（ａ）、図８（ｂ）に示すように、使い捨ておむつ１００の後部パネル１０２に形成されたサイドパネル１０１に、使い捨ておむつ１００の内側に向かって凸となる線状の切れ込み５が形成され、それによりサイドパネル１０１に伸展部４が使い捨ておむつ１００の外側に展開するように形成されることができる。ここで、図８（ａ）は、本発明のファスニング部材をそのサイドパネルに形成した使い捨ておむつを使用者の体に接触する側から見た模式的な平面図である。図８（ｂ）は、本発明のファスニング部材をそのサイドパネルに形成し伸展部を伸展（展開）させた使い捨ておむつを、使用者の体に接触する側から見た模式的な平面図である。図８（ａ）において、係止手段６は、伸展部４の裏側（使用者の体に接しない側）に配設されている。
【００４７】
図８（ａ）、図８（ｂ）に示すように、使い捨ておむつのサイドパネル１０１をファスニング部材の基材として使用した場合には、サイドパネル１０１を折り目７で使用者の体に接する側に向かって１度折りたたんだ状態で梱包されることができる。このときには、伸展部４の先端が、図１（ｂ）に示すように折り目７の外側に突き出した状態となる。そして、使い捨ておむつ１００を、折りたたまれた状態から展開して使用するときには、上記伸展部４の先端を引き出せばよい。それにより、図８（ｂ）に示すように伸展部４がサイドパネル１０１の外側に伸展された状態となる。サイドパネル１０１をファスニング部材の基材として使用した場合、サイドパネル１０１の大きさは、おむつの大きさに応じて適宜決定することができるが、大人用おむつの場合、１０ｃｍ×１０ｃｍ〜３０ｃｍ×３０ｃｍが好ましい。子供用おむつの場合、５ｃｍ×２ｃｍ〜２０ｃｍ×８ｃｍが好ましい。
【００４８】
このように、使い捨ておむつのサイドパネルをファスニング部材の基材として使用した場合には、１度の展開操作（伸展部の先端を引き出す操作）でおむつを簡単に展開することができる。また、この使用形態ではファスニング部材自身がない（ファスニング部材とサイドパネルとが一体化している）ため、製造時にファスニング部材が折れきれずに戻ってしまうという不具合がない。
【００４９】
本発明の他の実施の形態は、テープ状の基材と、その基材の第一の面に配設される係止手段とを有する使い捨ておむつ用ファスニング部材であって、上記基材が、伸縮性素材で形成されている部分と、伸縮性素材で形成されていない部分とを有し、上記伸縮性素材で形成されていない部分に所定の第一の印が描かれ、上記伸縮性素材で形成されている部分に上記伸縮性素材を所定の長さだけ伸ばしたときに上記第一の印と同じになるような第二の印が描かれた使い捨ておむつ用ファスニング部材である。このように、基材の一部が伸縮性素材で形成され、伸びた状態を示す２つの印が描かれていると、メカニカルファスナーによりおむつを使用者の体に取り付けるときに、適度に使用者の体を締め付けて、きつ過ぎることもなく、おむつが外れることもないようにすることができる。本実施の形態は、上述した、本発明の一の実施の形態の使い捨ておむつ用ファスニング部材において、その基材の少なくとも一部を伸縮性素材で形成し、第一の印と第二の印とを描いた場合と同様の構成とすることが好ましい。
【００５０】
上述のような、ファスニング部材の一部に伸縮性素材を使用し、その伸びた状態を確認するための印を伸縮部分と非伸縮部分とに描く方法は、通常の使い捨ておむつ用ファスニング部材（例えば、図１０に示すようなファスニング部材２０４等）に使用しても、適度（適度に使用者の体を締め付けて、きつ過ぎることもなく、おむつが外れることもない程度）な長さだけ伸ばして貼り付けることができるという効果を発揮することができる。
【００５１】
次に、本発明の使い捨ておむつの実施の形態について説明する。本実施の形態の使い捨ておむつは、通常使用される使い捨ておむつに、上述した本発明の使い捨ておむつ用ファスニング部材が配設されたものである。
【００５２】
図９（ａ）は、本実施の形態の使い捨ておむつを模式的に示し、使用者の体に接触する側から見た平面図である。図９（ｂ）は、本実施の形態の使い捨ておむつを模式的に示し、使い捨ておむつ用ファスニング部材の伸展部を伸展させた状態で使用者の体に接触する側から見た平面図である。本実施の形態の使い捨ておむつ１００は、使用者と直接接触する液体透過性のトップシートと、排泄物を吸収保持する吸収体と、排泄物の漏れを防止する液体非透過性のバックシートとを積層した構造（図示せず）を有するおむつである。そして、使用者に対して使い捨ておむつ１００を確実に固定し、或いは使い捨ておむつ１００の締め具合を調節するために、本発明の使い捨ておむつ用ファスニングシステム１を備えている。
【００５３】
図９（ａ）、図９（ｂ）に示すように、本実施の形態の使い捨ておむつは、使用者の腹部側を被包する前部パネル１０３と、臀部側を被包する後部パネル１０２の２つの構成部分からなる。前部パネル１０３及び後部パネル１０２それぞれの両側端部はサイドパネル１０１が配設されている。そして、後部パネル１０２の両サイドパネル１０１にはフック状のメカニカルファスナーを有するファスニング部材１が、前部パネル１０３の上端近傍（使用者の体に接触しない側）にはファスニング部材１の被接着体となるランディングゾーン１０５が配置されている。
【００５４】
図９（ａ）に示すように、本実施の形態の使い捨ておむつ１００は、本発明の使い捨ておむつ用ファスニング部材１の基材の一の端部１１側が、使い捨ておむつ１００のサイドパネル１０１に配設されている。これにより、伸展部４をサイドパネル１０１の外側に向けて伸展させることができる。そして、係止手段６は、使用者の体に接触しない側の面に配設されている。
【００５５】
本実施の形態の使い捨ておむつが梱包されるときには、図９（ａ）に示すファスニング部材１の折り目７から使用者の体に接触する側に向かってファスニング部材１が折りたたまれ、その後、サイドパネル１０１が同方向に折りたたまれる。このとき、ファスニング部材１を、伸展部４を折らないようにしながら折り目７から折りたたむため、伸展部４の先端が折り目７の部分からサイドパネル１０１の外側に突き出るようになる。これにより、本実施の形態の使い捨ておむつを使用するときに、伸展部４の先端を引き出すことにより、使い捨ておむつを容易に展開することができ、図９（ｂ）に示すような状態にすることができる。
【００５６】
本実施の形態の使い捨ておむつの、ファスニング部材を除いた部分である使い捨ておむつ本体は、オープン型の使い捨ておむつであれば特に限定されるものではなく、通常使用されているオープン型の使い捨ておむつを使用することができる。例えば、トップシートの材質としては、使い捨ておむつに通常使用されている液体透過性の材質を使用することができる。例えば、ポリプロピレン、ポリエチレン、ポリエステル等の合成繊維、天然繊維又はそれらの混紡品の、織布、不織布、又は微孔性シート等を使用することができる。トップシートの厚さは、使い捨ておむつの仕様等に応じて任意に決定することができるが、通常、５〜６０μｍ程度が好ましい。また、吸収体の材質としては、親水性繊維、高吸収性粒子、吸収性ゲル化材料等を使用することができる。親水性繊維としては、セルロース、レーヨン等が挙げられる。そして、バックシートの材質としては、使い捨ておむつに通常使用されている液体不透過性の材質を使用することができる。例えば、ポリエチレンフィルム、多孔質のポリエチレンフィルム等を使用することができる。バックシートの厚さは、使い捨ておむつの仕様等に応じて任意に決定することができるが、通常、５〜６０μｍ程度が好ましい。
【００５７】
また、本発明の使い捨ておむつの他の実施の形態は、図８（ａ）、図８（ｂ）に示すように、サイドパネル１０１をファスニング部材の基材として使用するものである。これは、サイドパネル１０１に切れ込み５を形成して、伸展部４を設けたものである。このように、サイドパネル１０１に切れ込み５を形成して伸展部４を設けることにより、使い捨ておむつの梱包時には、１回の折りたたみで梱包できる。そして、使用時には、伸展部４の先端を摘んで引き出すだけで、展開することができる。
【００５８】
本実施の形態の使い捨ておむつの製造方法は、特に限定されるものではなく、通常の使い捨ておむつの製造方法により使い捨ておむつを製造し、上記方法で製造した本発明の使い捨ておむつ用ファスニング部材を取り付ければよい。
【００５９】
使い捨ておむつにファスニング部材を取り付ける方法としては、接着剤で貼り付けたり、糸で縫いつけたり、また超音波で接着する等の種々の方法が挙げられる。また、ファスニング部材は、使い捨ておむつのサイドパネルの表面に貼り付けてもよいし、複数枚のシートを重ね合わせてサイドパネルが作製されている場合には、これらシートの間に挟み込んでもよい。
【００６０】
また、使い捨ておむつ本体（ファスニング部材を除いた部分）の製造方法は特に、制限されるものではなく、通常の方法で製造することができる。
【産業上の利用可能性】
【００６１】
本発明の使い捨ておむつ用ファスニング部材は、乳幼児用又は成人用の使い捨ておむつ用のファスニング部材として利用することができる。そして、本発明の使い捨ておむつ用ファスニング部材は、使い捨ておむつに配設され、その使い捨ておむつを折りたたんだ状態から開いて使用者に当て、固定して取り付けるときに、効率的に使い捨ておむつを使用者に固定することができる。本発明の使い捨ておむつは、乳幼児用又は成人用の使い捨ておむつとして利用することができる。
【図面の簡単な説明】
【００６２】
【図１】本発明の使い捨ておむつ用ファスニング部材の一の実施の形態を模式的に示し、図１（ａ）は、第一の面側から見た平面図であり、図１（ｂ）は、折り目に沿って折りたたんだ状態を示す平面図であり、図１（ｃ）は、伸展部の先端を引き出して展開した状態を示す平面図である。
【図２】本発明の使い捨ておむつ用ファスニング部材の他の実施の形態を模式的に示した平面図である。
【図３】本発明の使い捨ておむつ用ファスニング部材の他の実施の形態を模式的に示した平面図である。
【図４】本発明の使い捨ておむつ用ファスニング部材の他の実施の形態を模式的に示した平面図である。
【図５】本発明の使い捨ておむつ用ファスニング部材の他の実施の形態を模式的に示した平面図である。
【図６】本発明の使い捨ておむつ用ファスニング部材の他の実施の形態を模式的に示した平面図である。
【図７】図７（ａ）、図７（ｂ）は、本発明の使い捨ておむつ用ファスニング部材の他の実施の形態を模式的に示した平面図である。
【図８】図８（ａ）、図８（ｂ）は、本発明の使い捨ておむつ用ファスニング部材を配設した本発明の使い捨ておむつを模式的に示した平面図である。
【図９】図９（ａ）、図９（ｂ）は、本発明の使い捨ておむつ用ファスニング部材を配設した本発明の使い捨ておむつを模式的に示した平面図である。
【図１０】従来のファスニング部材を配設した使い捨ておむつを模式的に示した平面図である。
【符号の説明】
【００６３】
１，２０４…ファスニング部材、２…基材、３…外枠部、３ａ…伸縮部、４…伸展部、４ａ…伸展部の先端、５…切れ込み、５ａ，５ｂ…切れ込みの端部、６，２０６…係止手段、７…折り目、１１…基材の一の端部、１２…基材の他の端部、１３…基材の第一の面、１３ａ…伸展部の第一の面、１４…補強材、１００，２００…使い捨ておむつ、１０１，２０１…サイドパネル、１０２，２０２…後部パネル、１０３，２０３…前部パネル、２０５…ランディングゾーン、Ｍ…第一の印、ｍ…第二の印。
【図１】
2005348988.tif 000003
【図２】
2005348988.tif 000004
【図３】
2005348988.tif 000005
【図４】
2005348988.tif 000006
【図５】
2005348988.tif 000007
【図６】
2005348988.tif 000008
【図７】
2005348988.tif 000009
【図８】
2005348988.tif 000010
【図９】
2005348988.tif 000011
【図１０】
2005348988.tif 000012